(57)【要約】      （修正有）【課題】一人で納棺できるようにして納棺作業の労力コストを軽減でき、遺体に対する尊厳性を損なうことなく納棺でき、またゆったりと寝ている姿の故人に、遺族等がぎりぎりの時間迄、長い時間にわたって寄り添うことができる棺を提供する。【解決手段】遺体１を配置する底板２に、底板の長辺方向に沿った長尺状の両側板３を起伏回動自在に連結する。底板２の短辺方向に沿った短尺状の両側板５を、起立時の長尺状の両側板３に嵌め付け可能に形成する。長尺状の両側板３と短尺状の両側板５を起立させ、箱形に組み立てたときの開口上面を閉塞する蓋１０を備える。【選択図】図１
0003202364.tif 000002
【実用新案登録請求の範囲】
【請求項１】
遺体が配置される底板に、この底板の長辺方向に沿った長尺状の両側板が起伏回動自在に連結され、底板の短辺方向に沿った短尺状の両側板が、起立時の長尺状の両側板に嵌め付け可能に形成され、長尺状の両側板と短尺状の両側板が起立されて箱形に組み立てられたときの開口上面を閉塞する蓋を備えて形成されていることを特徴とする一人で納棺できる棺。
【請求項２】
請求項１記載の一人で納棺できる棺であって、短尺状の両側板が、起立時の長尺状の両側板に嵌め付け可能に形成されているのに代え、底板に起伏回動自在に連結されていることを特徴とする一人で納棺できる棺。
【請求項３】
請求項２記載の一人で納棺できる棺であって、短尺状の両側板が、底板の端部に連結されている下板と、この下板の上部に軸を横向きにした蝶番で連結されている上板とで折畳み自在に形成されていることを特徴とする一人で納棺できる棺。
【請求項４】
請求項１乃至３の何れかに記載の一人で納棺できる棺であって、長尺状の両側板が、底板に軸を横向きにした蝶番で連結されている下側の長板と、この下側の長板の上部に軸を横向きにした蝶番で連結されている上側の長板とで折畳み自在に形成されていることを特徴とする一人で納棺できる棺。
【考案の詳細な説明】
【技術分野】
【０００１】
本考案は、棺に関し、更に詳しくは一人で納棺できると共に、遺族等が、ゆったりと寝ている姿の故人に、ぎりぎりの時間迄、長い時間にわたって寄り添うことができるよう形成した棺に関するものである。
【背景技術】
【０００２】
従来、納棺作業の労力の軽減を図るためのアイデアとしては、例えば特許文献１、２に記載されているものが知られている。
これらの従来品は、把手を利用して納棺作業を楽にできるよう形成しているものである。
【０００３】
しかし、特許文献１、２に係る従来品は、遺体の、例えば頭側と脚側に人を配置し、敷布団ごと遺体を持ち上げ、次に敷布団と一緒に遺体を棺の位置まで運び、その後、棺に納めるものであった。
【０００４】
従って、従来品の場合は、一人で納棺作業を行うことが難しかった。そのため、従来品によると、人手がかかる分、労力コストが増加する、という問題点があった。
【０００５】
またこの種の従来品は、納棺の際に、上記の通り、遺体を持ち上げ、次に棺の位置まで運び、その後、棺の中に降ろして遺体を納める、という作業を伴うものであった。
従って、従来品によると、遺体を物として扱っている印象、感覚を、遺族に与え易く、遺体に対する尊厳性を損なうおそれがあった。
【０００６】
また従来品は、一旦、納棺すると、遺族は棺に入った状態の故人と、荼毘にふすまで接することになった。
そのため、従来品によると、ゆったりと寝かされている自然な寝姿の故人と、遺族等が、ぎりぎりの時間迄、長い時間にわたって寄り添うことができない、という問題点があった。
【先行技術文献】
【特許文献】
【０００７】
【特許文献１】実開平６−５２８２２号公報
【特許文献２】実開平６−７５４７１号公報
【考案の概要】
【考案が解決しようとする課題】
【０００８】
本考案は、このような従来品の問題点に鑑み、提案されたものである。
従って本考案の解決しようとする技術的課題は、一人で納棺できるようにして納棺作業の労力コストを軽減でき、遺体に対する尊厳性を損なうことなく納棺でき、また遺族等が、ゆったりと寝ている姿の故人に、ぎりぎりの時間迄、長い時間にわたって寄り添うことができるよう形成した棺を提供することにある。
【課題を解決するための手段】
【０００９】
本考案は、上記の課題を解決するため、次のような技術的手段を採る。
即ち、本考案は、図１等に示されるように、遺体１が配置される底板２に、この底板２の長辺方向に沿った長尺状の両側板３が起伏回動自在に連結され、底板２の短辺方向に沿った短尺状の両側板５が、起立時の長尺状の両側板３に嵌め付け可能に形成され、長尺状の両側板３と短尺状の両側板５が起立されて箱形に組み立てられたときの開口上面を閉塞する蓋１０を備えて形成されていることを特徴とする（請求項１）。
【００１０】
本考案の場合、長尺状の両側板３は、底板２に、例えば蝶番４で連結される。底板２、長尺状の両側板３、短尺状の両側板５及び蓋１０は、全体の美観が統一するよう、例えば同じ材質で形成されるのが良い。
【００１１】
本考案は、上記の通り、短尺状の両側板５が、長尺状の両側板３に嵌め付け可能に形成されている。従って、これによると、嵌め付け、という簡単な操作で立体化でき、納棺作業の手間暇を軽減できる。またこの場合は、箱形に形作ったり、一旦、立体化しても平面化することを、短尺状の両側板５の抜脱操作で、簡単、迅速にでき、その結果、使い勝手が良くなる、という利点がある。
【００１２】
しかしながら、本考案は、これに限定されるものではなく、図９等に示されるように、短尺状の両側板５が、底板２に起伏回動自在に連結されているのでも良い（請求項２）。
【００１３】
この場合は、短尺状の両側板５を、独立状に形成する場合に比べ、その保管等の煩わしさを解消できる。
【００１４】
而して、この場合、短尺状の両側板５は、一枚板で形成されるのでも良いが、同図に示されるように、底板２の端部に連結されている下板５ａと、この下板５ａの上部に軸を横向きにした蝶番４で連結されている上板５ｂとで折畳み自在に形成されているのが好ましい（請求項３）。
【００１５】
なぜなら、これによると、短尺状の両側板５がヘッドボード化し、ベッドに寝ている状態に遺体１を安置できるからである。
なお、この場合、下板５ａは、底板２の端部に、予め起立状に固定されているのでも、或いは図１７等に示されるように、蝶番４で起伏回動自在に連結されているのでも良い。
【００１６】
また本考案の棺は、図９〜図１９に示されるように、長尺状の両側板３が、底板２に軸を横向きにした蝶番４で連結されている下側の長板３ａと、この下側の長板３ａの上部に軸を横向きにした蝶番４で連結されている上側の長板３ｂとで折畳み自在に形成されているのが好ましい（請求項４）。
【００１７】
なぜなら、これによれば、遺体１の両側における突き出し寸法を短くでき、その分、遺族等が遺体１に近づいて、寄り添うことができるからである。
【考案の効果】
【００１８】
本考案は、このように構成されているから、納棺前に平面化している本考案品に、敷布団を介して遺体を寝かせ、納棺時に、葬儀社の社員等が、長尺状の両側板と短尺状の両側板を起立させて箱形に組み立て、開口上面を蓋で閉塞することにより、一人で納棺できる。
従って、これによれば、納棺作業の労力コストを抑えることができる。
【００１９】
また本考案は、平面化している本考案品の上に遺体を予め配置できるから、納棺時に、遺体を持ち上げたり、棺まで運んで納棺する必要がない。
その結果、これによれば、遺体を物として扱っている印象を遺族等に与える心配がなく、遺体に対する尊厳性を損なうことがない。
【００２０】
また本考案は、納棺時に立体化するまでは平面化しているため、遺族等は、ゆったりと寝ている姿の故人に、ぎりぎりの時間迄、長い時間にわたって寄り添うことができる。
従って、これによれば、遺族等は死者との距離を感じることなく、最後のお別れを、心おきなくできる。
【図面の簡単な説明】
【００２１】
【図１】本考案の棺の好適な一実施形態を示し、Ａは平面図、Ｂは使用時の要部斜視図である。
【図２】同上棺の使用時の要部斜視図である。
【図３】図２のＩＩＩ−ＩＩＩ線における断面図である。
【図４】同上棺の要部拡大断面図である。
【図５】同上棺の使用時の要部斜視図である。
【図６】同上棺の使用時の斜視図である。
【図７】同上棺の使用時の要部斜視図である。
【図８】同上棺の使用時の要部断面図である。
【図９】同上棺の他の実施形態を示す使用時の斜視図である。
【図１０】図９のＸ−Ｘ線における断面図である。
【図１１】図９の実施形態の要部拡大断面図である。
【図１２】図９の実施形態の使用時の要部拡大断面図である。
【図１３】図９の実施形態の使用時の要部斜視図である。
【図１４】図１３のＸＩＶ−ＸＩＶ線における拡大断面図である。
【図１５】図９の実施形態の使用時の要部断面図である。
【図１６】図９の実施形態の使用時の要部断面図である。
【図１７】同上棺の更に他の実施形態を示す使用時の要部斜視図である。
【図１８】図１７の実施形態の使用時の要部斜視図である。
【図１９】図１７の実施形態の使用時の要部斜視図である。
【考案を実施するための形態】
【００２２】
以下、本考案の好適な一実施形態を、添付図面に従って説明する。
本考案の棺は、図１Ａ等に示されるように、遺体１が配置される底板２に、この底板２の長辺方向に沿った長尺状の両側板３が起伏回動自在に連結されている。
【００２３】
具体的には、底板２と長尺状の両側板３の接合箇所に、蝶番４（図１等参照）が軸を横にして横方向に所定の間隔をあけて配置され、この蝶番４で長尺状の両側板３が底板２に回動自在に連結されている。なお、長尺状の両側板３は、この実施形態では一枚の長板状に形成されている。
【００２４】
また底板２の短辺方向に沿った短尺状の両側板５は、起立時の長尺状の両側板３に嵌め付け可能に形成されている。この実施形態の場合、嵌め付け構造は、長尺状の両側板３の端部に、蟻溝６が長尺状の両側板３の短辺方向に延ばされて形成され、この蟻溝６に嵌合する突条７が短尺状の両側板５の両端部に形成されることで実現されている。
【００２５】
８は、敷布団である。敷布団８は、この実施形態ではクッション材８ａ（図４参照）としてのウレタンマットが、化粧布８ｂとしてのベロアで覆われることにより形成されている。
なお、この実施形態の場合、敷布団８は、図示されるように、底板２の面積を超えて長尺状の両側板３に食み出る大きさに形成されている。また底板２と長尺状の両側板３との境の箇所８ｃは、長尺状の両側板３を起立させ易くなるよう、図２〜図４等に示されるように、クッション材８ａが少なめに収納されている。
なお、敷布団８の大きさは任意であり、底板２の面積に納まる大きさに形成されているのでも良いことは勿論である。
【００２６】
また図１Ｂにおいて、９は、短尺状の両側板５の嵌め付け作業を容易化するための補助部材である。この補助部材９は、長尺状の両側板３を起立させたとき、その上端と嵌合する溝状嵌合部９ａを、長板状の本体部９ｂの両側に備えて形成されている。
【００２７】
また１０は、長尺状の両側板３と短尺状の両側板５が起立されて箱形に組み立てられたときの開口上面を閉塞する蓋である。この蓋１０は、短尺状の両側板５や長尺状の両側板３と調和するよう、材質やデザインが選定されている。
【００２８】
次に、本考案品の使用例を説明する。
本考案品は、図１Ａ、図２等に示されるように、長尺状の両側板３が展開され、底板２と共に平面化した状態で配置される。そして、遺体１は、敷布団８と共に本考案品の上に寝かされる。
【００２９】
納棺時は、先ず長尺状の両側板３を引き起こして垂直に立てる（図１Ｂ、図５等参照）。次に使用者は、長尺状の両側板３の上端に補助部材９を嵌合して取り付ける。これにより、長尺状の両側板３の倒れが防止される。
【００３０】
そして、使用者は、図１Ｂ、図６に示されるように、短尺状の両側板５の突条７を、長尺状の両側板３の蟻溝６に係合させて短尺状の両側板５を上から挿し込み、長尺状の両側板３に短尺状の両側板５を嵌め付ける。また短尺状の両側板５の嵌め付け後、補助部材９を取り外す。
【００３１】
これにより、本考案品が、箱形に形作られ、納棺作業が完了する。なお、出棺の際は、図８に示されるように、蓋１０を被せ、上面の開口を閉塞する。
【００３２】
以上の処において、本考案は、短尺状の両側板５が、図９等に示されるように、底板２に起伏回動自在に連結されているのでも良い。
【００３３】
この場合、短尺状の両側板５は、一枚板で形成されて底板２に起伏回動自在に連結されているのでも良いが、この実施形態では底板２の端部に連結されている下板５ａと、この下板５ａの上部に軸を横向きにした蝶番４で連結されている上板５ｂとの２枚で形成され、折畳みが自由になるよう形成されている。
なお、この場合、下板５ａは、底板２の端部に、予め起立状に固定されているのでも、或いは図１７等に示されるように、軸を横向きにした蝶番４で起伏回動自在に連結されているのでも良い。
【００３４】
また上例（図１等参照）では、長尺状の両側板３が、一枚板で形成されているが、本考案はこれに限定されるものではない。
【００３５】
即ち、本考案品は、図９〜図１３等に示されるように、長尺状の両側板３が、底板２に軸を横向きにした蝶番４で連結されている下側の長板３ａと、この下側の長板３ａの上部に軸を横向きにした蝶番４で連結されている上側の長板３ｂとで折畳み自在に形成されているのでも良い。
【００３６】
次に、図９等に係る本考案品の使用例を、図９〜図１９に従って説明する。
この実施形態の本考案品は、図９、図１０に示されるように、短尺状の両側板５は起立状に折畳まれ、また長尺状の両側板３は水平状に折畳まれてベッド状に形作られる。そして、この状態で、遺体１を底板２に寝かせて使用する。
【００３７】
納棺の際は、先ず下側の長板３ａを引き起こし、次に使用者は上側の長板３ｂを回動して垂直に立てる。そして、使用者は、起立状に立てられた長尺状の両側板３の倒れを防止するため、上側の長板３ｂの上端に、補助部材９を嵌合する（図１３参照）。
【００３８】
次に使用者は、図１３、図１７等に示されるように、短尺状の両側板５の上板５ｂを起立回動させ、短尺状の両側板５を垂直に立てる。そして、使用者は、図１４に示されるように、短尺状の両側板５の両端に、例えば細棒状の止め具１１を打ち込み、長尺状の両側板３の端部に、短尺状の両側板５を固定する。
なお、止め具１１は、遺体１を荼毘に付した際に燃え残ることがないよう、木材等の可燃材で形成されているのが良い。
【００３９】
このようにして本考案品を箱形に形作った後、使用者は、補助部材９を取り外す。これにより、納棺作業が完了する。また出棺時は、上例と同様、開口上面を蓋１０（図１５等参照）で覆って使用する。
【００４０】
なお、この実施形態の本考案品を運搬したり保管するときは、図１６に示されるように、長尺状の両側板３を折り畳んだ状態で立て、短尺状の両側板５と長尺状の両側板３が作る空間に、蓋１０を逆さに収納してコンパクトにまとめて使用するのが良い。
【符号の説明】
【００４１】
１      遺体
２      遺体配置位置
３      両側位置
４      底板
５      長尺状の両側板
９      開口部
１０    短尺状の両側板
【図１】
0003202364.tif 000003
【図２】
0003202364.tif 000004
【図３】
0003202364.tif 000005
【図４】
0003202364.tif 000006
【図５】
0003202364.tif 000007
【図６】
0003202364.tif 000008
【図７】
0003202364.tif 000009
【図８】
0003202364.tif 000010
【図９】
0003202364.tif 000011
【図１０】
0003202364.tif 000012
【図１１】
0003202364.tif 000013
【図１２】
0003202364.tif 000014
【図１３】
0003202364.tif 000015
【図１４】
0003202364.tif 000016
【図１５】
0003202364.tif 000017
【図１６】
0003202364.tif 000018
【図１７】
0003202364.tif 000019
【図１８】
0003202364.tif 000020
【図１９】
0003202364.tif 000021